(57)【要約】【課題】作業台を配置した場合にもフットスイッチの操作を容易に行うことができる工作機械を提供する。【解決手段】オペレータが踏み込み操作を行うフットスイッチ１８の高さ位置を調整可能とする高さ調整機構２０を設ける。【選択図】      図３
2010162655.tif 000002
【特許請求の範囲】
【請求項１】
機械本体と、該機械本体を囲むように配設されたカバーと、該カバーの機械正面側に配置され、オペレータが踏み込み操作を行うフットスイッチとを備えた工作機械であって、
前記フットスイッチの高さ位置を調整可能とする高さ調整機構を設けたことを特徴とする工作機械。
【請求項２】
請求項１に記載の工作機械において、
前記カバーの機械正面側には作業用開口が形成され、
前記高さ調整機構は、前記カバーの作業用開口より下方部分に取り付けられたプレートと、該プレートに上下方向移動可能に係合し、かつ該移動方向と直交する方向への移動が規制された調整板とを有し、該調整板に前記フットスイッチが取り付けられていることを特徴とする工作機械。
【請求項３】
請求項１に記載の工作機械において、
前記カバーの機械正面側には作業台が配置され、
前記フットスイッチは、前記作業台上に位置するよう前記高さ調整機構により高さ位置が調整されていることを特徴とする工作機械。
【請求項４】
請求項１に記載の工作機械において、
前記フットスイッチのフットペダルをオペレータが踏み込むことにより前記機械本体の主軸に装着されたチャックが開閉することを特徴とする工作機械。
【発明の詳細な説明】
【技術分野】
【０００１】
本発明は、オペレータが踏み込み操作を行うフットスイッチを備えた工作機械に関する。
【背景技術】
【０００２】
工作機械に備えられるフットスイッチは、オペレータが踏み込み操作を行うフットペダルを、足が挿入可能な開口を有するスイッチカバーで覆った構造が一般的である（例えば、特許文献１参照）。
【０００３】
この種のフットスイッチは、メーカーが工作機械を顧客工場に設置する際には、該工作機械の正面側の床面に設置されるようになっている。一方、メーカーによる機械設置後に、ユーザがオペレータの体格や作業姿勢に適した高さを有する作業台を追加する場合がある。
【先行技術文献】
【特許文献】
【０００４】
【特許文献１】特開平１０−２０８５７７号公報
【発明の概要】
【発明が解決しようとする課題】
【０００５】
ところで、前述のように、機械設置後に作業台を追加した場合、フットスイッチは床面に設置されていることから、オペレータはフットスイッチを操作するたびに作業台から降りる必要があり、作業性が低下するという問題がある。
【０００６】
本発明は、前記従来の状況に鑑みてなされたもので、作業台を配置した場合にもフットスイッチの操作を容易に行うことができる工作機械を提供することを課題としている。
【課題を解決するための手段】
【０００７】
請求項１の発明は、機械本体と、該機械本体を囲むように配設されたカバーと、該カバーの機械正面側に配置され、オペレータが踏み込み操作を行うフットスイッチとを備えた工作機械であって、前記フットスイッチの高さ位置を調整可能とする高さ調整機構を設けたことを特徴としている。
【０００８】
請求項２の発明は、請求項１に記載の工作機械において、前記カバーの機械正面側には作業用開口が形成され、前記高さ調整機構は、前記カバーの作業用開口より下方部分に取り付けられたプレートと、該プレートに上下方向移動可能に係合し、かつ該移動方向と直交する方向への移動が規制された調整板とを有し、該調整板に前記フットスイッチが取り付けられていることを特徴としている。
【０００９】
請求項３の発明は、請求項１に記載の工作機械において、前記カバーの機械正面側には作業台が配置され、前記フットスイッチは、前記作業台上に位置するよう前記高さ調整機構により高さ位置が調整されていることを特徴としている。
【００１０】
請求項４の発明は、請求項１に記載の工作機械において、前記フットスイッチのフットペダルをオペレータが踏み込むことにより前記機械本体の主軸に装着されたチャックが開閉することを特徴としている。
【発明の効果】
【００１１】
請求項１の発明に係る工作機械によれば、フットスイッチの高さ位置を調整可能とする高さ調整機構を設けたので、フットスイッチをオペレータの体格や作業姿勢に応じた高さに設定でき、作業性を向上できる。例えば、機械本体の設置後に、ユーザが作業台を追加した場合にも、フットスイッチを作業台上に配置することが可能であり、作業台から降りることなくフットスイッチの操作を容易に行うことができる。
【００１２】
請求項２の発明では、高さ調整機構を、カバーの作業用開口より下方部分に取り付けられたプレートと、該プレートに上下方向移動可能に係合し、かつ該移動方向と直交方向への移動が規制された調整板とを有するものとし、該調整板にフットスイッチを取り付けたので、簡単な構造でフットスイッチの高さ調整を行うことができ、かつフットスイッチが移動することによる操作性への影響を防止できる。
【００１３】
また高さ調整機構をカバーの作業用開口の近傍に配置したので、フットスイッチを作業用開口の近くに位置させることができ、この点からも作業性を向上できる。
【００１４】
請求項３の発明では、高さ調整機構により、フットスイッチが作業台上に位置するよう高さ調整されるので、作業台の高さが異なってもフットスイッチを容易に配置できる。
【００１５】
請求項４の発明では、フットペダルの踏み込み操作によりチャックを開閉するようにしたので、両手を使ってワーク交換を行うことができ、交換作業を容易に行うことができる。
【図面の簡単な説明】
【００１６】
【図１】本発明の一実施形態による旋盤（工作機械）のカバーの正面図である。
【図２】前記カバーの開口から見た機械本体の斜視図である。
【図３】前記カバーに配置されたフットスイッチの高さ調整機構の斜視図である。
【図４】前記高さ調整機構の平面図である。
【図５】前記フットスイッチの斜視図である。
【図６】前記高さ調整機構によりフットスイッチを床面に設置した場合の正面図である。
【発明を実施するための形態】
【実施例１】
【００１７】
以下、本発明の実施の形態を添付図面に基づいて説明する。
【００１８】
図１ないし図５は、本発明の一実施形態による工作機械を説明するための図であり、図１は旋盤（工作機械）のカバーの正面図、図２はカバーの作業用開口から見た機械本体の斜視図、図３はカバーに配置された高さ調整機構の斜視図、図４は高さ調整機構の平面図、図５はフットスイッチの斜視図である。
【００１９】
図において、１は旋盤（工作機械）を示しており、これは機械本体２と、該機械本体２を囲むように配設されたカバー３とを備えている。
【００２０】
前記機械本体２は、機械正面から見て、スラント型のベッド４の左端部に主軸台５を搭載し、該ベッド２の右側に刃物台及び芯押台（不図示）をそれぞれ主軸軸線方向に移動可能に搭載した概略構造を有する。
【００２１】
前記主軸台５は、ワークを着脱可能に把持するチャック６が装着された主軸（不図示）と、該主軸を回転自在に支持する主軸頭８と、該主軸頭８を支持する支持台９とを有し、該支持台９が前記ベッド４に固定されている。
【００２２】
前記チャック６は、周方向に所定角度間隔をあけて配置された複数の把持爪６ａを有し、該各把持爪６ａを油圧機構（不図示）により半径方向に進退させることによりワークを把持又は開放するように構成されている。
【００２３】
前記カバー３は、機械本体２の前面，左右側面及び上面を覆っており、該カバー３の機械本体２の前面を覆う正面壁３ｂ及び上面壁３ｃには、加工領域の略全域に広がる大きさの作業用開口３ａが形成されている。
【００２４】
前記カバー３には、作業用開口３ａを開閉する左，右一対のドア１０，１０が配置されている。この左，右のドア１０は、前記カバー３の上面壁３ｃに配置されたガイドレール１１により左，右にスライド可能に支持されている。また各ドア１０には、手動により開閉するハンドル１０ａ，１０ａが取り付けられている。
【００２５】
前記カバー３の正面壁３ｂには、操作盤１２が配置されている。この操作盤１２は、正面壁３ｂの作業用開口３ａの右外側近傍に配置されている。該操作盤１２の下方には、心押台のセンタを前進させるフットスイッチ１３及び後退させるフットスイッチ１４が配置されている。該各フットスイッチ１３，１４はブラケット１２ａを介して前記操作盤１２に支持されている。これにより、操作盤１２のボタン操作を行いつつ心押台のセンタを進退させることができるようになっている。
【００２６】
前記カバー３の作業用開口３ａの手前側には、該開口３ａの全幅に渡る大きさの作業台１５が配置されている。この作業台１５は、オペレータがこの作業台１５を利用して前記作業用開口３ａからワーク交換，工具交換等の作業を容易に行うことができるようにするためのものであり、オペレータの体格等に応じた高さを有する。
【００２７】
前記旋盤１は、前記チャック６を開閉するフットスイッチ１８と、該フットスイッチ１８の高さ位置を調整可能とする高さ調整機構２０とを備えている。
【００２８】
前記フットスイッチ１８は、図５に示すように、オペレータの足が挿入可能な開口２１ａを有する箱状のスイッチカバー２１と、該スイッチカバー２１内に配置され、オペレータが踏み込み操作をすることにより前記チャック６を開閉するフットペダル２２とを有する。前記フットペダル２２には、配線ケーブル２２ａが接続され、該配線ケーブル２２ａは、前述のチャック６の各把持爪６ａを進退駆動する油圧機構の制御部に接続されている。
【００２９】
前記スイッチカバー２１内には、前記フットペダル２２に係合して誤操作による踏み込みを防止するガード板２３が配置されている。該ガード板２３を足により撥ね上げたときに係合が解除され、これによりフットペダル２２の踏み込み操作が許容される。
【００３０】
前記高さ調整機構２０は、前記カバー３の正面壁３ｂの前記作業用開口３ａより下方部分に取り付けられ、上下方向に延びる長方形板状のプレート２５と、該プレート２５に上下方向に移動可能に係合し、かつ該移動方向と直交する方向への移動が規制された調整板２６とを有する。
【００３１】
前記プレート２５は、正面壁３ｂの開口３ａの左下縁部に配置され、下端が床面に近接し、上端が前記開口３ａの下縁に近接するよう配置されている。
【００３２】
前記調整板２６は、前記プレート２５の前面に配置された前板部２６ａと、前板部２６ａに続いて形成され、前記プレート２５の左，右縁部２５ａ，２５ａに係合する上面視コ字形状の係合部２６ｂ，２６ｂと、前記前板部２６ａの下縁から前方に屈曲して延びる載置部２６ｃとを有する。
【００３３】
前記載置部２６ｃ上に前記フットスイッチ１８のスイッチカバー２１が開口２１ａをオペレータ側に向けて固定されている。
【００３４】
前記調整板２６は、前記プレート２５に係合する左，右の係合部２６ｂにより左右方向及び前後方向への移動が規制されている。また前記調整板２６は、前板部２６ａに螺着された前記左，右のボルト２７，２７をプレート２５に締め付けることにより着脱可能に固定されている。
【００３５】
そして前記フットスイッチ１８は、高さ調整機構２０により前記作業台１５上に位置するようその高さが調整されている。具体的には、調整板２６を上方からプレート２５に装着し、該調整板２６を載置部２６ｃが作業台１５に当接するまで下降させ、左，右のビス２７，２７をプレート２５に締め付ける。これによりフットスイッチ１８は、作業台１５上に移動不能に固定されている。この場合、フットスイッチ１８は、載置部２６ｃに予め取り付けておいてもよく、また設置後に取り付けてもよい。
【００３６】
本実施形態によれば、フットスイッチ１８の高さ位置を調整する高さ調整機構２０を設けたので、オペレータの体格や作業姿勢に応じた高さに設定された作業台１５上にフットスイッチ１８を配置することができる。これにより作業台１５から降りることなくフットスイッチ１８の踏み込み操作を容易に行うことができ、作業性を向上できる。
【００３７】
ここで、作業台１５が不要の場合には、図６に示すように、フットスイッチ１８を床面に設置することとなる。このように、作業台の要不要に応じて、また作業台の高さに応じてフットスイッチ１８の高さを任意に調整することができる。
【００３８】
本実施形態では、前記高さ調整機構２０を、カバー３の作業用開口３ａの近傍に取り付けられたプレート２５と、該プレート２５に上下方向移動可能に係合し、かつ該移動方向と直交方向への移動が規制された調整板２６とを有するものとし、該調整板２６の載置部２６ｃにフットスイッチ１８を取り付けたので、簡単な構造でフットスイッチ１８の高さ調整を行うことができ、かつフットスイッチ１８が移動して位置ずれすることによる操作性への影響を防止できる。
【００３９】
また前記高さ調整機構２０をカバー３の開口３ａ近傍に配置したので、それだけフットスイッチ１８を開口３ａの近くに位置させることができ、この点からも作業性を向上できる。
【００４０】
本実施形態では、前記フットスイッチ１８の踏み込み操作によりチャック６を開閉するようにしたので、両手を使ってワーク交換を行うことができ、交換作業を容易に行うことができる。
【００４１】
なお、前記実施形態では、チャック６を開閉するフットスイッチ１８の高さを調整可能としたが、本発明は、例えば心押台のセンタを進退させるフットスイッチ１３，１４や、第２主軸台のチャックを開閉させるフットスイッチ（図示せず）にも適用できる。また１つの高さ調整機構２０により複数のフットスイッチを並列させて支持することも可能である。
【００４２】
また、前記実施形態では、旋盤に配設されたフットスイッチを例に説明したが、本発明は、立形，横形マシニングセンタ等の工作機械に配設されたフットスイッチにも適用できる。
【符号の説明】
【００４３】
１  旋盤（工作機械）
２  機械本体
３  カバー
６  チャック
１５  作業台
１８  フットスイッチ
２０  高さ調整機構
２５  プレート
２６  調整板
【図１】
2010162655.tif 000003
【図２】
2010162655.tif 000004
【図３】
2010162655.tif 000005
【図４】
2010162655.tif 000006
【図５】
2010162655.tif 000007
【図６】
2010162655.tif 000008